(57)【特許請求の範囲】
【請求項１】
第１のコネクタと第２のコネクタとの嵌合離脱をアーム機構により行うコネクタにおいて、
前記アーム機構は、前記第１のコネクタに保持される回転ギァと、前記回転ギァを操作するアームとを有し、
前記第２のコネクタは、前記回転ギァとかみ合うギァと、前記アームが正規位置にあるか否かを検出する検出部材とを有し、
前記回転ギァは干渉用突起を有し、前記回転ギァの厚さは均一であり、
前記第１のコネクタと前記第２のコネクタとが嵌合する際、前記アームが正規位置にある場合には、前記干渉用突起は前記検出部材と干渉せずに、前記検出部材は前記干渉用突起と前記回転ギァの中心部との間を通過し、前記回転ギァは前記ギァとかみ合い、前記アームを回転することにより前記第１のコネクタと前記第２のコネクタとが嵌合し、
前記第１のコネクタと前記第２のコネクタとが嵌合する際、前記アームが正規位置にない場合には、前記干渉用突起は前記検出部材と干渉し、前記アームの回転が防止されることを特徴とする誤操作防止機能付きコネクタ。
【請求項２】
前記第２のコネクタのギァはラックであることを特徴とする請求項１記載の誤操作防止機能付きコネクタ。
【発明の詳細な説明】
【０００１】
【発明の属する技術分野】
本発明は、誤操作防止機能付きコネクタに関し、詳しくいえば、コネクタの嵌合に際し、コネクタを嵌合させるアームが正規位置にない場合には、アームを回転させることができないコネクタに関する。
【０００２】
【従来の技術】
まず、第１の従来のコネクタについて図５を参照して説明する。
【０００３】
コネクタは、ピン側コネクタ２１と、これに対して嵌合離脱するハーネス側コネクタ３１とから構成される。
【０００４】
ピン側コネクタ２１は、直方体状のハウジング２２と、ハウジング２２に保持される多数のピンコンタクト（図示せず）と、ハウジング２２の両側面の下方の嵌合側に設けられるラック２３とから構成される。各ラック２３には、１つの歯２３Ａが形成されている。
【０００５】
ハーネス側コネクタ３１は、直方体状のハウジング３２と、ハウジング３２に保持される多数のソケットコンタクト（図示せず）と、ハウジング３２の上面及び両側面に一体に形成される断面略Ｕ字溝状のフレーム３３と、フレーム３３の両側面に取り付けられる回転ギァ３４と、両回転ギァ３４に取り付けられるアーム３５とから構成される。
【０００６】
回転ギァ３４は、円形の中心部３４Ａと、中心部３４Ａから放射方向に形成される歯３４Ｂと識別用Ｌ字状突起３４Ｃとを有する。歯３４Ｂは、ラック２３の歯２３Ａとかみ合い、識別用Ｌ字状突起３４Ｃは、回転ギァ３４のフレーム３３への表裏逆の取り付けを防止する役割を果す。
【０００７】
アーム３５は、フレーム３３に平行なブリッジ部３５Ａと、ブリッジ部３５Ａの両側に直角に一体に形成される一対のアーム取付部（図示せず、本発明における符号１５Ｂが付された部分参照）とから構成される。ブリッジ部３５Ａは、アーム３５を回転させるときの把持部となり、各アーム取付部には、回転ギァ３４に取り付けるための構造が設けられる。
【０００８】
図５（ａ）は、コネクタ２１，３１が若干嵌合しているが、アーム３５が正規位置にない状態を示す。この状態で、アーム３５を左回転しても、回転ギァ３４は、空回転するだけで、歯３４Ｂは、ラック２３の歯２３Ａとかみ合わない。
【０００９】
図５（ｂ）に示されるように、ブリッジ部３５Ａの前面３５Ｂがフレーム３３の上部の起立壁３３Ａに当接したとき、アーム３５の回転は停止する。したがって、ピン側コネクタ２１とハーネス側コネクタ３１とは、嵌合しない。
【００１０】
この種のコネクタは、特開平８−１８５９２６号公報に記載されている。
【００１１】
次に、第２の従来のコネクタについて図６を参照して説明する。このコネクタは、特開平９−２１９２５３号公報に記載されている。
【００１２】
コネクタは、ソケット側コネクタ４１とピン側コネクタ５１とから構成される。
【００１３】
ソケット側コネクタ４１は、ハウジング４２と、ハウジング４２に保持される多数のソケットコンタクト（図示せず）と、ハウジング４２の中央付近に設けられる回転ギァ４３と、回転ギァ４３と一体に形成されるアーム４４とから構成される。回転ギァ４３には、凹部４３Ａが形成されている。
【００１４】
ピン側コネクタ５１は、ハウジング５２と、ハウジング５２に保持される多数のピンコンタクト５３と、ハウジング５２の中央付近に設けられるラック５４とから構成される。ラック５４には、凸部５４Ａが形成される。
【００１５】
回転ギァ４３と一体のアーム４４が図６に示される正規位置にある状態では、ピン側コネクタ５１をソケット側コネクタ４１に矢印方向に若干嵌合させると、凸部５４Ａは凹部４３Ａに進入する。そして、アーム４４を約９０゜左回転させると、回転ギァ４３はラック５４を矢印方向に送る。したがって、ピン側コネクタ５１は、ソケット側コネクタ４１と完全に嵌合する。
【００１６】
しかし、アーム４４が、例えば図６の位置よりも４５゜左回転した状態に位置するとき、換言すると、正規位置にない状態では、ピン側コネクタ５１をソケット側コネクタ４１に若干嵌合させても、凸部５４Ａが回転ギァ４３の端面部４３Ｂに突き当たるため、ピン側コネクタ５１はソケット側コネクタ４１と完全には嵌合しない。
【００１７】
【発明が解決しようとする課題】
前記両従来のコネクタでは、コネクタの嵌合に際し、コネクタを嵌合させるアームが正規位置にない場合には、コネクタを嵌合させることができない。しかし、アームを回転させることができるので、無駄な操作を行うこととなる。また、コネクタが嵌合していないにもかかわらず、嵌合したと誤認する支障が生じる。
【００１８】
そこで、本発明は、前記両従来のコネクタの欠点を改良し、コネクタを嵌合させるアームが正規位置にない場合には、アームを回転させることができず、しかも、従来のコネクタを簡素に改造することによって、誤操作防止機能付きコネクタを提供しようとするものである。
【００１９】
【課題を解決するための手段】
本発明は、前記課題を解決するため、次の手段を採用する。
【００２０】
１．第１のコネクタと第２のコネクタとの嵌合離脱をアーム機構により行うコネクタにおいて、前記アーム機構は、前記第１のコネクタに保持される回転ギァと、前記回転ギァを操作するアームとを有し、前記第２のコネクタは、前記回転ギァとかみ合うギァと、前記アームが正規位置にあるか否かを検出する検出部材とを有し、前記回転ギァは干渉用突起を有し、前記回転ギァの厚さは均一であり、前記第１のコネクタと前記第２のコネクタとが嵌合する際、前記アームが正規位置にある場合には、前記干渉用突起は前記検出部材と干渉せずに、前記検出部材は前記干渉用突起と前記回転ギァの中心部との間を通過し、前記回転ギァは前記ギァとかみ合い、前記アームを回転することにより前記第１のコネクタと前記第２のコネクタとが嵌合し、前記第１のコネクタと前記第２のコネクタとが嵌合する際、前記アームが正規位置にない場合には、前記干渉用突起は前記検出部材と干渉し、前記アームの回転が防止される誤操作防止機能付きコネクタ。
【００２１】
２．前記第２のコネクタのギァはラックである前記１記載の誤操作防止機能付きコネクタ。
【００２３】
【発明の実施の形態】
本発明の一実施の形態例の誤操作防止機能付きコネクタについて図１〜図４を参照して説明する。
【００２４】
まず、本コネクタの構成について図１を参照して説明する。コネクタは、ピン側コネクタ１と、これに対して嵌合離脱するハーネス側コネクタ１１とから構成される。
【００２５】
ピン側コネクタ１は、直方体状のハウジング２と、ハウジング２に保持される多数のピンコンタクト（図示せず）と、ハウジング２の両側面の下方の嵌合側に設けられるラック３と、ハウジング２の両側面の上部の嵌合側に設けられる突起４とから構成される。各ラック３には、１つの歯３Ａが形成されている。
【００２６】
ハーネス側コネクタ１１は、直方体状のハウジング１２と、ハウジング１２に保持される多数のソケットコンタクト（図示せず）と、ハウジング１２の上面及び両側面に一体に形成される断面略Ｕ字溝状のフレーム１３と、フレーム１３の両側面に取り付けられる回転ギァ１４と、両回転ギァ１４に取り付けられるアーム１５とから構成される。
【００２７】
回転ギァ１４は、円形の中心部１４Ａと、中心部１４Ａから放射方向に形成される歯１４Ｂ、干渉用突起１４Ｃ及び識別用Ｌ字状突起１４Ｄとを有する。歯１４Ｂは、ラック３の歯３Ａとかみ合い、干渉用突起１４Ｃは、アーム１５が正規位置（後述する。）にない場合に突起４と干渉し、識別用Ｌ字状突起１４Ｄは、回転ギァ１４のフレーム１３への表裏逆の取り付けを防止する役割を果す。
【００２８】
アーム１５は、フレーム１３に平行なブリッジ部１５Ａと、ブリッジ部１５Ａの両側に直角に一体に形成される一対のアーム取付部１５Ｂとから構成される。ブリッジ部１５Ａは、アーム１５を回転させるときの把持部となり、各アーム取付部１５Ｂには、回転ギァ１４に取り付けるための構造が設けられる。この構造は、本発明の要点でないため、説明を省略するが、詳細は、本出願人の先の出願に係る特願２００１年１０２７０号に説明されている。
【００２９】
次に、コネクタの嵌合動作について図２（ａ）〜図３（ｂ）を参照して説明する。図２（ａ）は、コネクタ１，１１の嵌合開始状態を示し、アーム１５は、正規位置にある。ブリッジ部１５Ａを指で把持して、アーム１５を左回転させると、回転ギァ１４の干渉用突起１４Ｃは、図２（ｂ）に示されるように、ピン側コネクタ１の突起４と干渉しない円弧軌跡を描く。このとき、回転ギァ１４の歯１４Ｂは、ピン側コネクタ１のラック３の歯３Ａとかみ合うので、ハーネス側コネクタ１１とピン側コネクタ１との嵌合は、次第に深くなる。更に、アーム１５を左回転させると、図３（ａ）の状態を経て図３（ｂ）の状態に至る。この状態では、ブリッジ部１５Ａの前面１５Ｃはフレーム１３の上部の起立壁１３Ａに当接し、また、ラック３の前端面３Ｂはフレーム１３の下部段面１３Ｂに当接し、コネクタ１，１１の嵌合は完了する。
【００３０】
コネクタ１，１１の離脱は、前述した嵌合動作とは逆に、アーム１５を右回転させることにより行われる。
【００３１】
続いて、コネクタの誤操作防止機能について図４を参照して説明する。回転ギァ１４の歯１４Ｂとラック３の歯３Ａとがかみ合わない状態に、コネクタ１，１１は位置する。この状態では、アーム１５は、正規位置にない。アーム１５を左回転しようとしても、回転ギァ１４の干渉用突起１４Ｃは、ピン側コネクタ１の突起４と干渉するため、アーム１５の左回転は、防止される。したがって、アーム１５が正規位置にない場合には、コネクタ１，１１は、嵌合することができない。
【００３２】
本実施の形態例においては、回転ギァ１４の干渉用突起１４Ｃがピン側コネクタ１の突起４と干渉するが、アーム１５に設けられた干渉用部材がピン側コネクタ１の突起４と干渉するように設計変更することができる。
【００３３】
【発明の効果】
以上の説明から明らかなように、本発明によれば、次の効果を奏する。
【００３４】
１．コネクタの嵌合に際し、コネクタを嵌合させるアームが正規位置にない場合には、アームを回転させることができないので、アームの無駄な操作を防止できる。また、コネクタが嵌合していないにもかかわらず、嵌合したと誤認することが防止される。
【００３５】
２．第１のコネクタに突起を設け、第２のコネクタの回転ギァに干渉用突起を形成するという簡素な改造により所期の目的を達成できるので、便利である。
【図面の簡単な説明】
【図１】本発明の一実施の形態例の誤操作防止機能付きコネクタが離脱した状態の斜視図であり、（ａ）は外観図、（ｂ）は一部が断面図の外観図を、それぞれ示す。
【図２】同コネクタの嵌合状態の斜視図（ただし、一部は断面図）であり、（ａ）は嵌合開始状態、（ｂ）は嵌合の第１途中の状態を、それぞれ示す。
【図３】同コネクタの嵌合状態の斜視図（ただし、一部は断面図）であり、（ａ）は嵌合の第２途中の状態、（ｂ）は嵌合完了状態を、それぞれ示す。
【図４】同コネクタの誤操作防止状態を示す斜視図（ただし、一部は断面図）である。
【図５】第１の従来のコネクタの嵌合開始前の状態におけるアームの位置を示す斜視図（ただし、一部は断面図）であり、（ａ）はアームが正規位置にない状態、（ｂ）はアームの回転後の状態を、それぞれ示す。
【図６】第２の従来のコネクタであり、（ａ）は第１のコネクタの正面図、（ｂ）は第２のコネクタの断面図を、それぞれ示す。
【符号の説明】
１    ピン側コネクタ
２    ハウジング
３    ラック
３Ａ    歯
３Ｂ    前端面
４  突起
１１    ハーネス側コネクタ
１２    ハウジング
１３    フレーム
１３Ａ    起立壁
１３Ｂ    下部段面
１４    回転ギァ
１４Ａ    中心部
１４Ｂ    歯
１４Ｃ    干渉用突起
１４Ｄ    識別用Ｌ字状突起
１５    アーム
１５Ａ    ブリッジ部
１５Ｂ    アーム取付部
１５Ｃ    前面
【図１】
0003687037.tif 000002
【図２】
0003687037.tif 000003
【図３】
0003687037.tif 000004
【図４】
0003687037.tif 000005
【図５】
0003687037.tif 000006
【図６】
0003687037.tif 000007